(57)【要約】【課題】波長の設定に要する時間が短く、低コストの光モジュール及び光通信システムを提供する。【解決手段】光モジュールであって、第１周波数、または、前記第１周波数よりも高い第２周波数で強度変化する光信号を受信し、該光信号の強度に対応する電流信号に変換する光電変換器と、前記第１周波数で強度変化する光信号に係る前記電流信号に含まれる複数の信号強度の比率に基づいて、送信側で設定された波長情報を取得する信号処理部と、前記第２周波数で強度変化する光信号に係る前記電流信号から通信データを生成する復号部と、を有する。【選択図】図２
2020170990.tif 000002
【特許請求の範囲】
【請求項１】
第１周波数、または、前記第１周波数よりも高い第２周波数で強度変化する光信号を受信し、該光信号の強度に対応する電流信号に変換する光電変換器と、
前記第１周波数で強度変化する光信号に係る前記電流信号に含まれる複数の信号強度の比率に基づいて、送信側で設定された波長情報を取得する信号処理部と、
前記第２周波数で強度変化する光信号に係る前記電流信号から通信データを生成する復号部と、
を有する光モジュール。
【請求項２】
前記信号処理部により取得される前記波長情報に基づいて、該波長情報に対応する波長の光信号を送信する光送信器をさらに有する請求項１に記載の光モジュール。
【請求項３】
前記第１周波数で強度変化する光信号に係る前記電流信号は、少なくとも３値の信号強度を含み、
前記信号処理部は、前記３値の信号強度の強度比率に応じて、前記波長情報を取得する、
請求項１または２に記載の光モジュール。
【請求項４】
前記信号強度の比率に基づいて前記波長情報が取得された場合に、前記第２周波数で強度変化する光信号に係る前記電流信号から通信データの抽出を開始する、
請求項１〜３のいずれかに記載の光モジュール。
【請求項５】
前記第１周波数は、１〜２５０Ｈｚである、
請求項１〜４のいずれかに記載の光モジュール。
【請求項６】
前記第２周波数は、１ＧＨｚ以上である、
請求項１〜５のいずれかに記載の光モジュール。
【請求項７】
受信した光信号の強度に対応する電流信号を出力する光電変換器と、
第１周波数、または、前記第１周波数よりも高い第２周波数で強度変化する光信号を送信する光送信器と、
前記光送信器に対して、前記光電変換器が前記光信号を受信する前の状態では、前記第１周波数で波長情報を含む前記光信号を該波長情報により示される波長で送信させるとともに、前記波長情報に対応する波長の光信号のみを通過させる経路を経由して前記光電変換器が光信号を受信した場合に、前記波長情報を含む光信号の送信を停止させ、前記波長情報により示される波長を有し、前記第２周波数で通信データを含む光信号を送信させる信号処理部と、
を有する光モジュール。
【請求項８】
前記第１周波数で強度変化する光信号に係る前記電流信号に含まれる複数の信号強度の比率と、前記波長情報と、を関連づけて記憶する記憶部をさらに有し、
前記信号処理部は、前記光電変換器が前記光信号を受信する前の状態では、前記光送信器に対して、前記強度比率に従って前記光信号を送信させる、
請求項７に記載の光モジュール。
【請求項９】
前記光電変換器が光信号を受信しない場合に、前記信号処理部は、前記光送信器に対して、順次、前記第２周波数で他の波長の波長情報を含む前記光信号を当該他の波長で送信させる、
請求項８に記載の光モジュール。
【請求項１０】
第１光モジュール及び第２光モジュールを有する光通信システムであって、
第１光モジュールは、
第１周波数、または、前記第１周波数よりも高い第２周波数で強度変化する光信号を受信し、該光信号の強度に対応する電流信号に変換する光電変換器と、
前記第１周波数で強度変化する光信号に係る前記電流信号に含まれる複数の信号強度の比率に基づいて、送信側で設定された波長情報を取得する第１信号処理部と、
前記第１信号処理部により取得される前記波長情報に基づいて、該波長情報に対応する波長の光信号を送信する第１光送信器と、を有し、
前記第２光モジュールは、
受信した光信号の強度変化を示す電流信号を出力する第２光電変換器と、
前記第１周波数、または、前記第２周波数で強度変化する光信号を送信する第２光送信器と、
前記第２光送信器に対して、前記第２光電変換器が前記光信号を受信する前の状態では、前記第１周波数で波長情報を含む前記光信号を該波長情報により示される波長で送信させるとともに、前記波長情報に対応する波長の光信号のみを通過させる経路を経由して前記第２光電変換器が光信号を受信した場合に、前記波長情報を含む光信号の送信を停止させ、前記波長情報により示される波長を有し、前記第２周波数で通信データを含む光信号を送信させる第２信号処理部と、を有する、
光通信システム。
【請求項１１】
それぞれ異なる波長の光信号が入力される複数の入力端子と、それぞれ異なる波長を有する複数の光信号が合波された光多重信号が出力される出力端子と、を含む合波器と、
前記光多重信号が入力される入力端子と、前記光多重信号に含まれる、それぞれ異なる波長の光信号が出力される複数の出力端子と、を含む分波器と、をさらに有し、
前記第１光モジュールの前記第１光送信器は、前記合波器に含まれる前記複数の入力端子の１つに結合され、
前記第２光モジュールの前記第２光電変換器は、前記分波器に含まれる前記複数の出力端子の１つに結合される、
請求項１０に記載の光通信システム。
【発明の詳細な説明】
【技術分野】
【０００１】
本発明は、光モジュール及び光通信システムに関する。
【背景技術】
【０００２】
送信側の光モジュールと受信側の光モジュールとの間で、光ファイバを経由してデータ通信が行われる光通信システムが構築されている。従来、通信に使用される波長ごとに、当該波長に対応する光モジュールが用いられていた。しかし、波長ごとに対応した光モジュールを用意することはコストがかかり、不便である。
【０００３】
そこで、近年、波長を変更できる波長可変光源を有することによって、送信する光の波長を変更できる光モジュールが実用化されている。送信する光の波長を変更できる光モジュールが使用される場合、当該光モジュールには予め使用する波長が設定される。
【０００４】
光モジュールに予め使用する波長を設定する場合、予めユーザが波長を設定する作業や確認作業を行う必要がある。当該作業には一定の時間を要するため、利便性が良くなくコストもかかってしまう。また、ユーザが手動で波長を設定する場合、通信に使用される波長と異なる波長が誤って設定されるおそれがある。この場合、通信を行うことができず、大きな問題となる。
【０００５】
そこで、当該光モジュールに対して、自動的に波長が設定される方法が知られている。例えば、特許文献１は、信号のパターンを光信号に重畳することにより、当該信号パターンに基づいて所与の波長を設定する方法が開示されている。また、特許文献２は、波長可変光源を用いて、通常のデータ信号とは異なる低周波の信号を光信号に重畳し、当該低周波の信号に基づいて所与の波長を設定する方法を開示している。
【先行技術文献】
【特許文献】
【０００６】
【特許文献１】特開２００４−１５３２８号公報
【特許文献２】米国特許出願公開第２０１７／１５５４６４号明細書
【発明の概要】
【発明が解決しようとする課題】
【０００７】
上記特許文献１には、ＷＤＭ（Wavelength Division Multiplexing）装置を利用した波長の自動設定方法が開示されている。しかし、特許文献１では、光信号に信号パターンを重畳するため、及び、信号パターンを認識するために、ＷＤＭ装置に機能を追加する必要がある。当該機能を追加するためにコストを要する。
【０００８】
また、特許文献２では、通常のデータ信号とは異なる低周波の信号が用いられるが、低周波信号が1kHz程度の場合、低周波信号を認識するための回路を追加する必要があるためコストを要する。また、低周波信号が10Hz程度である場合には、波長の設定に長い時間を要する。
【課題を解決するための手段】
【０００９】
本発明の一側面に係る光モジュールによれば、第１周波数、または、前記第１周波数よりも高い第２周波数で強度変化する光信号を受信し、該光信号の強度に対応する電流信号に変換する光電変換器と、前記第１周波数で強度変化する光信号に係る前記電流信号に含まれる複数の信号強度の比率に基づいて、送信側で設定された波長情報を取得する信号処理部と、前記第２周波数で強度変化する光信号に係る前記電流信号から通信データを生成する復号部と、を有する。
【００１０】
また、本発明の他の一側面に係る光モジュールによれば、前記信号処理部により取得される前記波長情報に基づいて、該波長情報に対応する波長の光信号を送信する光送信器をさらに有する。
【００１１】
また、本発明の他の一側面に係る光モジュールによれば、前記第１周波数で強度変化する光信号に係る前記電流信号は、少なくとも３値の信号強度を含み、前記信号処理部は、前記３値の信号強度の強度比率に応じて、前記波長情報を取得する。
【００１２】
また、本発明の他の一側面に係る光モジュールによれば、前記信号強度の比率に基づいて前記波長情報が取得された場合に、前記第２周波数で強度変化する光信号に係る前記電流信号から通信データの抽出を開始する。
【００１３】
また、本発明の他の一側面に係る光モジュールによれば、前記第１周波数は、１〜２５０Ｈｚである。
【００１４】
また、本発明の他の一側面に係る光モジュールによれば、前記第２周波数は、１ＧＨｚ以上である。
【００１５】
また、本発明の他の一側面に係る光モジュールによれば、受信した光信号の強度に対応する電流信号を出力する光電変換器と、第１周波数、または、前記第１周波数よりも高い第２周波数で強度変化する光信号を送信する光送信器と、前記光送信器に対して、前記光電変換器が前記光信号を受信する前の状態では、前記第１周波数で波長情報を含む前記光信号を該波長情報により示される波長で送信させるとともに、前記波長情報に対応する波長の光信号のみを通過させる経路を経由して前記光電変換器が光信号を受信した場合に、前記波長情報を含む光信号の送信を停止させ、前記波長情報により示される波長を有し、前記第２周波数で通信データを含む光信号を送信させる信号処理部と、を有する。
【００１６】
また、本発明の他の一側面に係る光モジュールによれば、前記第１周波数で強度変化する光信号に係る前記電流信号に含まれる複数の信号強度の比率と、前記波長情報と、を関連づけて記憶する記憶部をさらに有し、前記信号処理部は、前記光電変換器が前記光信号を受信する前の状態では、前記光送信器に対して、前記強度比率に従って前記光信号を送信させる。
【００１７】
また、本発明の他の一側面に係る光モジュールによれば、前記光電変換器が光信号を受信しない場合に、前記信号処理部は、前記光送信器に対して、順次、前記第２周波数で他の波長の波長情報を含む前記光信号を当該他の波長で送信させる。
【００１８】
本発明の一側面に係る光通信システムは、第１光モジュール及び第２光モジュールを有する光通信システムであって、第１光モジュールは、第１周波数、または、前記第１周波数よりも高い第２周波数で強度変化する光信号を受信し、該光信号の強度に対応する電流信号に変換する光電変換器と、前記第１周波数で強度変化する光信号に係る前記電流信号に含まれる複数の信号強度の比率に基づいて、送信側で設定された波長情報を取得する第１信号処理部と、前記第１信号処理部により取得される前記波長情報に基づいて、該波長情報に対応する波長の光信号を送信する第１光送信器と、を有し、前記第２光モジュールは、受信した光信号の強度変化を示す電流信号を出力する第２光電変換器と、前記第１周波数、または、前記第２周波数で強度変化する光信号を送信する第２光送信器と、前記第２光送信器に対して、前記第２光電変換器が前記光信号を受信する前の状態では、前記第１周波数で波長情報を含む前記光信号を該波長情報により示される波長で送信させるとともに、前記波長情報に対応する波長の光信号のみを通過させる経路を経由して前記第２光電変換器が光信号を受信した場合に、前記波長情報を含む光信号の送信を停止させ、前記波長情報により示される波長を有し、前記第２周波数で通信データを含む光信号を送信させる第２信号処理部と、を有する。
【００１９】
また、本発明の他の一側面に係る光通信システムによれば、それぞれ異なる波長の光信号が入力される複数の入力端子と、それぞれ異なる波長を有する複数の光信号が合波された光多重信号が出力される出力端子と、を含む合波器と、前記光多重信号が入力される入力端子と、前記光多重信号に含まれる、それぞれ異なる波長の光信号が出力される複数の出力端子と、を含む分波器と、をさらに有し、前記第１光モジュールの前記第１光送信器は、前記合波器に含まれる前記複数の入力端子の１つに結合され、前記第２光モジュールの前記第２光電変換器は、前記分波器に含まれる前記複数の出力端子の１つに結合される。
【発明の効果】
【００２０】
本発明によれば、波長の設定に要する時間が短く、低コストの光モジュール及び光通信システムを提供することができる。
【図面の簡単な説明】
【００２１】
【図１】光通信システムの構成例である。
【図２】光モジュールの構成を示すブロック図である。
【図３】電圧信号の一例を示す図である。
【図４】強度比率と波長との関係を示すテーブルである。
【図５】第１実施形態に係る第２光モジュールの動作を示すフローチャート例である。
【図６】第１実施形態に係る第１光モジュールの動作を示すフローチャート例である。
【図７】第２実施形態に係る第２光モジュールの動作を示すフローチャート例である。
【図８】第２実施形態に係る第１光モジュールの動作を示すフローチャート例である。
【図９】第１及び第２光モジュールが送信する光信号の波長の組み合わせを示すテーブルである。
【発明を実施するための形態】
【００２２】
以下、本発明の第１実施形態について図面に基づき詳細に説明する。
【００２３】
図１は光通信システム１００の構成例である。光通信システム１００は、ユーザ側システム１２０と、センタ側システム１４０と、ユーザ側システム１２０とセンタ側システム１４０とを接続する２本の通信経路と、を有する。ユーザ側システム１２０は、第１合波器１２２と、第１分波器１２４と、第１光モジュール１２６Ａ，１２６Ｂ，１２６Ｃと、通信経路と、を有する。センタ側システム１４０は、第２合波器１４２と、第２分波器１４４と、第２光モジュール１４６Ａ，１４６Ｂ，１４６Ｃと、通信経路と、を有する。ユーザ側システム１２０及びセンタ側システム１４０は、例えば、ＷＤＭシステムである。
【００２４】
第１分波器１２４及び第２分波器１４４は、光多重信号が入力される入力端子と、光多重信号に含まれる、それぞれ異なる波長の光信号が出力される複数の出力端子と、をそれぞれ含む。各出力端子を通過できる波長は予め決まっている。具体的には、第１分波器１２４は、波長がλＡの光を通過させる出力端子Ａと、波長がλＢの光を通過させる出力端子Ｂと、波長がλＣの光を通過させる出力端子Ｃと、光多重信号が入力される入力端子Ｄと、を有する。第２分波器１４４は、波長がλＡ’の光を通過させる出力端子Ａと、波長がλＢ’の光を通過させる出力端子Ｂと、波長がλＣ’の光を通過させる出力端子Ｃと、光多重信号が入力される入力端子Ｄと、を有する。
【００２５】
第１合波器１２２及び第２合波器１４２は、それぞれ異なる波長の光信号が入力される複数の入力端子と、それぞれ異なる波長を有する複数の光信号が合波された光多重信号が出力される出力端子と、をそれぞれ含む。各入力端子を通過できる波長は予め決まっている。具体的には、例えば、第１合波器１２２は、波長がλＡ’の光を通過させる入力端子Ａと、波長がλＢ’の光を通過させる入力端子Ｂと、波長がλＣの’光を通過させる入力端子Ｃと、光多重信号が出力される出力端子Ｄと、を有する。また、第２合波器１４２は、波長がλＡの光を通過させる入力端子Ａと、波長がλＢの光を通過させる入力端子Ｂと、波長がλＣの光を通過させる入力端子Ｃと、光多重信号が出力される出力端子Ｄと、を有する。
【００２６】
第１分波器１２４と第２合波器１４２は、通信経路で接続される。具体的には、第２合波器１４２の出力端子Ｄと第１分波器１２４の入力端子Ｄは、光ファイバケーブルで接続される。第２合波器１４２で合波された光多重信号は、光ファイバケーブルを経由して第１分波器１２４に送信される。
【００２７】
同様に、第１合波器１２２と第２分波器１４４は、通信経路で接続される。具体的には、第１合波器１２２の出力端子Ｄと第２分波器１４４の入力端子Ｄは、光ファイバケーブルで接続される。第１合波器１２２で合波された光多重信号は、光ファイバケーブルを経由して第２分波器１４４に送信される。
【００２８】
第１光モジュール１２６及び第２光モジュール１４６は、それぞれ光送信器と光電変換器とを含む。なお、以下において、光送信器及び光電変換器が第１光モジュール１２６に含まれることを明示する場合、第１光送信器１２８及び第１光電変換器１３０と記載する。また、光送信器及び光電変換器が第２光モジュール１４６に含まれることを明示する場合、第２光送信器１４８及び第２光電変換器１５０と記載する。なお、第１光モジュール１２６及び第２光モジュール１４６に含まれる上記以外の構成については後述する。
【００２９】
第１光モジュール１２６の第１光送信器１２８は、第１合波器１２２に含まれる複数の入力端子の１つに結合される。具体的には、例えば、第１光送信器１２８Ａは、第１合波器１２２の入力端子Ａと光ファイバケーブルを介して接続される。第１光送信器１２８Ｂは、第１合波器１２２の入力端子Ｂと光ファイバケーブルを介して接続される。第１光送信器１２８Ｃは、第１合波器１２２の入力端子Ｃと光ファイバケーブルを介して接続される。
【００３０】
第１光モジュール１２６の第１光電変換器１３０は、第１分波器１２４に含まれる複数の出力端子の１つに結合される。具体的には、第１光電変換器１３０Ａは、第１分波器１２４の出力端子Ａと光ファイバケーブルを介して接続される。第１光電変換器１３０Ｂは、第１分波器１２４の出力端子Ｂと光ファイバケーブルを介して接続される。第１光電変換器１３０Ｃは、第１分波器１２４の出力端子Ｃと光ファイバケーブルを介して接続される。
【００３１】
第２光モジュール１４６の第２光送信器１４８は、第２合波器１４２に含まれる複数の入力端子の１つに結合される。具体的には、例えば、第２光送信器１４８Ａは、第２合波器１４２の入力端子Ａと光ファイバケーブルを介して接続される。第２光送信器１４８Ｂは、第２合波器１４２の入力端子Ｂと光ファイバケーブルを介して接続される。第２光送信器１４８Ｃは、第２合波器１４２の入力端子Ｃと光ファイバケーブルを介して接続される。
【００３２】
第２光モジュール１４６の第２光電変換器１５０は、第２分波器１４４に含まれる複数の出力端子の１つに結合される。具体的には、第２光電変換器１５０Ａは、第２分波器１４４の出力端子Ａと光ファイバケーブルを介して接続される。第２光電変換器１５０Ｂは、第２分波器１４４の出力端子Ｂと光ファイバケーブルを介して接続される。第２光電変換器１５０Ｃは、第２分波器１４４の出力端子Ｃと光ファイバケーブルを介して接続される。
【００３３】
上記光通信システム１００において、通常のデータ通信が行われる際の光信号の流れについて説明する。以下、通常のデータ通信が行われる状態を通常動作モードとする。また、通信が確立されておらず、光送信器が送信する波長を設定している途中の状態を波長設定モードとする。
【００３４】
まず、第２光モジュール１４６Ａ，１４６Ｂ，１４６Ｃに含まれる第２光送信器１４８Ａ，１４８Ｂ，１４８Ｃは、波長がλＡ，λＢ，λＣの光信号を送信する。波長がλＡ，λＢ，λＣの光信号は、光ファイバケーブルを介して第２合波器１４２の入力端子Ａ，Ｂ，Ｃを介して第２合波器１４２に入力される。波長がλＡ，λＢ，λＣの光信号は、第２合波器１４２において合波されて光多重信号となる。当該多重光信号は、第２合波器１４２の出力端子Ｄ、光ファイバケーブル及び第１分波器１２４の入力端子Ｄを経由して第１分波器１２４に入力される。光多重信号は、第１分波器１２４によって分波され、波長がλＡ，λＢ，λＣの光信号に分波される。
【００３５】
分波された波長がλＡである光信号は、第１分波器１２４の出力端子Ａと、光ファイバケーブルを経由して第１光モジュール１２６Ａの第１光電変換器１３０Ａに入力される。分波された波長がλＢである光信号は、第１分波器１２４の出力端子Ｂと、光ファイバケーブルを経由して第１光モジュール１２６Ｂの第１光電変換器１３０Ｂに入力される。分波された波長がλＣである光信号は、第１分波器１２４の出力端子Ｃと、光ファイバケーブルを経由して第１光モジュール１２６Ｃの第１光電変換器１３０Ｃに入力される。
【００３６】
同様に、第１光モジュール１２６Ａ，１２６Ｂ，１２６Ｃに含まれる第１光送信器１２８Ａ，１２８Ｂ，１２８Ｃは、波長がλＡ’，λＢ’，λＣ’の光信号を送信する。波長がλＡ’，λＢ’，λＣ’の光信号は、光ファイバケーブルを介して第１合波器１２２の入力端子Ａ，Ｂ，Ｃを介して第１合波器１２２に入力される。波長がλＡ’，λＢ’，λＣ’の光信号は、第１合波器１２２において合波されて光多重信号となる。当該多重光信号は、第１合波器１２２の出力端子Ｄ、光ファイバケーブル及び第２分波器１４４の入力端子Ｄを経由して第２分波器１４４に入力される。光多重信号は、第２分波器１４４によって分波され、波長がλＡ’，λＢ’，λＣ’の光信号に分波される。
【００３７】
分波された波長がλＡ’である光信号は、第２分波器１４４の出力端子Ａと、光ファイバケーブルを経由して第２光モジュール１４６Ａの第２光電変換器１５０Ａに入力される。分波された波長がλＢ’である光信号は、第２分波器１４４の出力端子Ｂと、光ファイバケーブルを経由して第２光モジュール１４６Ｂの第２光電変換器１５０Ｂに入力される。分波された波長がλＣ’である光信号は、第２分波器１４４の出力端子Ｃと、光ファイバケーブルを経由して第２光モジュール１４６Ｃの第２光電変換器１５０Ｃに入力される。
【００３８】
上記のように、各波長の光信号は、それぞれ当該波長を通過させる入力端子または出力端子を経由して、合波または分波されて、ユーザ側システム１２０とセンタ側システム１４０の間で送受信される。これにより光通信によるデータ通信が行われる。
【００３９】
図２は、本願発明に係る第１光モジュール１２６及び第２光モジュール１４６の構成を示すブロック図である。第１光モジュール１２６及び第２光モジュール１４６は、それぞれ、光電変換器１３０，１５０と、電流電圧変換器２０２と、ＡＤ変換器２０４と、信号処理部２０６，２０８と、光送信器１２８，１４８と、復号部２１０と、を有する。なお、以下において、各構成が、第１光モジュール１２６に含まれることを明示する場合、当該構成に第１を付して記載する。同様に、各構成が、第２光モジュール１４６に含まれることを明示する場合、当該構成に第２を付して記載する。
【００４０】
光電変換器１３０，１５０は、第１周波数、または、第１周波数よりも高い第２周波数で強度変化する光信号を受信し、該光信号の強度に対応する電流信号に変換する。具体的には、例えば、光電変換器１３０，１５０は、フォトダイオード等の受光素子を含む。光電変換器１３０，１５０は、光ファイバケーブルを経由して入力された光信号の強度に応じた電流を出力する。光電変換器１３０，１５０は、データ通信を開始する前の状態（すなわち、波長設定モード）では、第１周波数で強度変化する光信号を受信する。一方、光電変換器１３０，１５０は、データ通信時（すなわち通常動作モード）には第１周波数よりも高い第２周波数で強度変化する光信号を受信する。ここで、第１周波数は、例えば、１〜２５０Ｈｚである。また、第２周波数は、例えば、１ＧＨｚ以上である。
【００４１】
光電変換器１３０で光信号より変換された電流信号は、二つのラインにそれぞれ伝達される。一つが電流電圧変換器２０２につながるライン、そしてもう一つが複合機２１０につながるラインである。通常動作モードにおいては、通信用の第２周波数の光信号が光電変換器１３０，１５０に入力されて、通信用の電流信号に変換される。その通信用の電流信号は、復号器２１０によって信号として認識され、通信が行われる。この際、同時に電流電圧変換器２０２側にも同様の通信用の電流信号が入力されている。この電流信号は、ＡＤ変換器２０４、そして受信光強度算出部２１２へと伝達される。受信光強度算出部２１２では、ＡＤ変換器２０４にて電圧に変換された電圧信号の平均電圧を算出し、入力されている光信号の平均光強度を算出する。この算出された平均光強度はホスト装置側などから読み取ることが可能で、通信状態のモニタなどに使われている。対して波長設定モードにおいては、第１周波数の光信号が光電変換器１３０に入力され電流信号へと変換される。この電流信号もＡＤ変換器２０４と復号器２１０に伝達される。この際、復号器２１０は通常通信モードとなっていないために、入力された電流信号を通信用の電流信号とは認識せず無視をする。一方、ＡＤ変換器２０４に入力された電流信号に基づいて、信号処理部２０６にて後述する手順を経て波長が設定される。
【００４２】
電流電圧変換器２０２は、電流信号を電圧信号に変換する。具体的には、例えば、電流電圧変換器２０２は、ＩＶコンバータであって、光電変換器１３０，１５０が出力した電流信号を、電流信号の大きさと対応する大きさの電圧信号に変換する。
【００４３】
ＡＤ変換器２０４は、アナログ信号をデジタル信号に変換する。具体的には、例えば、ＡＤ変換器２０４は、電流電圧変換器２０２が出力したアナログ信号である電圧信号を取得する。そして、ＡＤ変換器２０４は、取得した信号を、信号処理部２０６，２０８や復号部２１０が認識できるように、デジタル信号である電圧信号に変換する。
【００４４】
信号処理部２０６は、受信光強度算出部２１２と、受信光波長算出部２１４と、記憶部２１６と、送信波長設定部２１８と、出力光強度設定部２２０と、を含む。信号処理部２０６は、例えばマイクロコンピュータである。
【００４５】
受信光強度算出部２１２及び受信光波長算出部２１４は、波長設定モードでは、第１周波数で強度変化する光信号に係る電流信号に含まれる複数の信号強度の比率に基づいて、送信側で設定された波長情報を取得する。
【００４６】
具体的には、例えば、光電変換器１３０，１５０は、第１周波数で強度変化する光信号を受信した場合、第１周波数で強度変化する電流信号を出力する。当該電流信号は、電流電圧変換器２０２及びＡＤ変換器２０４を経由して、デジタル信号である電圧信号に変換される。当該信号は、少なくとも２値の電圧値を含み、第１周波数で強度変化する信号である。また、電圧信号の電圧値は、受信された光信号の信号強度と対応する。
【００４７】
受信光強度算出部２１２は、信号強度の比率を算出する。具体的には、例えば、まず、受信光強度算出部２１２は、所定の期間、電圧信号をサンプリングする。当該所定の期間は、第１周波数で強度変化する光信号の１周期分のデータが複数回サンプリングされる期間である。
【００４８】
次に、受信光強度算出部２１２は、１度のサンプリングで取得した電圧信号に含まれる電圧値の比率を算出する。例えば、電圧信号に含まれる少なくとも２値の電圧値と対応する信号強度は、２ｄＢｍ間隔で設定され−２ｄＢｍ〜−２０ｄＢｍの間のいずれかの値である。２値の電圧値が−２０ｄＢｍと−１０ｄＢｍと対応する場合、受信光強度算出部２１２は、５０％という比率を算出する。
【００４９】
また、受信光強度算出部２１２は、通常動作モードでは、光信号の平均強度を算出する。具体的には、例えば、通常動作モードでは、光電変換器１３０，１５０には、第２周波数で強度変化する高周波な光信号が入力される。この場合、受信光強度算出部２１２は、ＡＤ変換器２０４が出力した高周波の電圧信号の平均強度を出力する。当該平均強度は、例えば、第１光モジュール１２６及び第２光モジュール１４６の状態を監視するために用いられる。
【００５０】
図３（ａ）は、電圧信号の一例を示す図である。図３（ａ）に示すように、電圧信号は、Ｘ１とＸ２の２値の電圧値を含む。受信光強度算出部２１２は、当該Ｘ１とＸ２の２値の電圧値の比率を算出する。図３（ａ）の例では、Ｘ１が−１０ｄＢｍに対応する電圧値であり、Ｘ２が−２０ｄＢｍに対応する電圧値である。従って、受信光強度算出部２１２は、５０％という値を算出する。
【００５１】
受信光波長算出部２１４は、受信光強度算出部２１２が算出した比率に基づいて波長を算出する。具体的には、受信光波長算出部２１４は、記憶部２１６が記憶するテーブルを参照して、比率と対応する波長を算出する。
【００５２】
記憶部２１６は、第１周波数で強度変化する光信号に係る電流信号に含まれる複数の信号強度の比率と、波長情報と、を関連づけて記憶する。具体的には、例えば、記憶部２１６は、図４に示すようなテーブルを記憶する。受信光波長算出部２１４は、図４に示すテーブルを参照して、５０％という比率と対応するλＡ’という波長を算出する。これにより、第１信号処理部２０６は、第１周波数で強度変化する光信号に基づいて、送信側で設定された波長情報を取得する。
【００５３】
なお、第１周波数で強度変化する光信号に係る電流信号に含まれる複数の信号強度は、３値であってもよい。例えば、図３（ｂ）及び図３（ｃ）は、電圧信号の他の一例を示す図である。図３（ｂ）及び図３（ｃ）に示すように、電圧信号は、Ｘ１、Ｘ２及びＸ３の３値の電圧値を含む。この場合、記憶部２１６は、Ｘ１とＸ２の比率と、Ｘ１とＸ３の比率と、波長情報と、を関連づけて記憶する。
【００５４】
例えば、図３（ｂ）に示すように、Ｘ１が−４ｄＢｍであり、Ｘ２が−１０ｄＢｍであり、Ｘ３が−２０Ｂｍである場合、受信光強度算出部２１２は、５０％という比率と、２０％という比率を算出する。そして、受信光波長算出部２１４は、記憶部が記憶するテーブルを参照し、Ｘ１とＸ２の比率が５０％であり、Ｘ１とＸ３の比率が２０％である場合と関連付けられた波長情報を算出する。
【００５５】
また、例えば、図３（ｃ）に示すように、Ｘ１が−４ｄＢｍであり、Ｘ２が−１０ｄＢｍであり、Ｘ３が−２０ｄＢｍである場合、受信光強度算出部２１２は、２０％という比率と、５０％という比率を算出する。そして、受信光波長算出部２１４は、記憶部が記憶するテーブルを参照し、Ｘ１とＸ２の比率が２０％であり、Ｘ１とＸ３の比率が５０％である場合と関連付けられた波長情報を算出する。
【００５６】
なお、波長情報は、Ｘ２とＸ３の電圧値が現れる順序によらずに設定されてもよい。例えば、図３（ｂ）と図３（ｃ）は、Ｘ２という電圧値と、Ｘ３という電圧値が現れる順序が異なるが、電圧値に含まれる３個の電圧値がＸ１とＸ２とＸ３である点は同じである。そのため、受信光強度算出部２１２は、最も大きい電圧値と２番目に大きい電圧値との比率と、最も大きい電圧値と３番目に大きい電圧値との比率と、を算出してもよい。上記の場合、受信光強度算出部２１２は、５０％という比率と、２０％という比率を算出する。受信光波長算出部２１４は、記憶部が記憶するテーブルを参照し、最も大きい電圧値と２番目に大きい電圧値との比率が５０％であり、最も大きい電圧値と３番目に大きい電圧値との比率が２０％である場合と関連付けられた波長情報を算出してもよい。
【００５７】
なお、ＷＤＭにおける通信システムにおいては使用される波長が規定されているが、実際に運用するシステムにより使われる波長数は異なる。波長数が少ない場合、例えば３０Ｃｈ以下などであれば波長ごとの信号強度間隔は１ｄＢｍとして設定することが可能となり、十分に強度比率の違いを認識することが可能となる。しかし、より多くの波長数が必要な場合などは、信号強度間隔が小さくなり、通信時の強度変動などの影響により波長の認識で不具合が発生する恐れがある。この場合などは、図３（ｂ）（ｃ）で示したような３値を用いた方式を採用することで、確実に波長設定を行うことができる。
【００５８】
ここで、信号処理部２０６，２０８の内部クロック周波数は、第１周波数よりも高く第２周波数よりも低い周波数であることが一般的である。具体的には、例えば、１００ｋＨｚである。そのため、通常動作モードにおいて、第２周波数で強度変化する光信号が受信された場合、信号処理部２０６，２０８は、光信号に係る電流信号から通信データを生成することは困難であるため、光信号の平均強度を取得する。一方、第１周波数で強度変化する光信号が受信された場合は厳密な同期を必要としない。そのため、波長設定モードでは、信号処理部２０６，２０８は、電圧値の検出が可能である。従って、通信が確立されていいない波長設定モードの状態であっても、信号処理部２０６，２０８は、第１周波数で強度変化する光信号に基づいて波長情報を取得することが可能である。
【００５９】
送信波長設定部２１８は、波長可変光源２２２に対して、出力する光の波長を制御する。具体的には、例えば、送信波長設定部２１８は、受信光波長算出部２１４が算出した波長の光を出力するように波長可変光源２２２を制御する。
【００６０】
出力光強度設定部２２０は、光電変換器１３０，１５０が光信号を受信していないとき、第１周波数で強度変化するように増幅器２２４の動作を制御する。具体的には、例えば、出力光強度設定部２２０は、波長設定モード時に、増幅器２２４のゲインが第１周波数で変化するように制御する。また、出力光強度設定部２２０は、増幅器２２４のゲインが上記比率に応じて変化するように制御する。上記例では、出力光強度設定部２２０は、増幅後の強度であるＸ１とＸ２の比率が５０％になるように増幅器２２４を制御する。これにより、光電変換器１３０，１５０が光信号を受信する前の状態では、出力光強度設定部２２０は、光送信器１２８，１４８に対して、信号処理部２０６，２０８により取得される波長情報に基づいて、該波長情報に対応する波長の光信号を送信させる。なお、波長設定モード時は波長可変光源２２２の出力強度は一定値とし、変調器２２６は変調していない状態としておくことが望ましい。ただし、光強度比の認識に影響を与えないような変調情報であれば重畳しても構わない。
【００６１】
光送信器１２８，１４８は、第１周波数、または、第１周波数よりも高い第２周波数で強度変化する光信号を送信する。また、光送信器１２８，１４８は、信号処理部２１８により取得される波長情報に基づいて、該波長情報が表す波長の光信号を送信する。光送信器１２８，１４８は、波長可変光源２２２と、増幅器２２４と、変調器２２６と、を含む。
【００６２】
波長可変光源２２２は、例えば、波長可変レーザである。波長可変光源２２２は、送信波長設定部２１８の制御により指定された任意の波長の光を出力する。
【００６３】
増幅器２２４は、波長可変光源２２２が出力した光を増幅する。増幅器２２４は、例えばＳＯＡ(semiconductor Optical Amplifier）である。増幅器２２４は、出力光強度設定部２２０の制御により、上記のように、波長可変光源２２２が出力した光を増幅する。
【００６４】
変調器２２６は、増幅器２２４が出力した光を、変調信号に変換する。変調器２２６は、例えば、ＭＺ変調器やＥＡ変調器である。変調器２２６は、通信データ入力に基づいて、増幅器２２４から出力された連続光を第２周波数に変調された光信号に変換し、外部の光ファイバケーブルへ出力する。
【００６５】
復号部２１０は、第２周波数で強度変化する光信号に係る電流信号から通信データを生成する。具体的には、例えば、復号部２１０は、ＣＤＲ(Clock Data Recovery)であって、データにクロックが重畳されている電圧信号を受信し、クロックと通信データを分離する。復号部２１０は、第１周波数で強度変化する光信号に基づいて波長情報が取得されるまでは（すなわち波長設定モードでは）動作を停止する。一方、第１周波数で強度変化する光信号に基づいて波長情報が取得されて通常動作モードに移行した場合、復号部２１０は、電流信号から通信データの生成を開始する。電流信号からの復号においては復号器２０６内に内蔵されたＡＤ変換器、ＣＤＲなどにて行われる。
【００６６】
なお、復号部２１０は、省略されてもよい。また、光電変換器１３０，１５０に接続される復号部２１０と、光送信器１２８，１４８に接続される復号部２１０と、をそれぞれ個別に設けてもよい。
【００６７】
次に、第１光モジュール１２６Ａの第１光送信器１２８Ａが出力する光信号の波長をλＡ’に設定するフローを説明する。図５は第２光モジュール１４６Ａの動作を説明するフローチャートである。図６は第１光モジュール１２６Ａの動作を説明するフローチャートである。
【００６８】
初期状態として、第２合波器１４２の入力端子Ａに接続された第２光モジュール１４６Ａは、入力端子Ａを通過できるλＡの光信号を送信可能な状態である。また、第２周波数で強度変化する光信号によるデータ通信が開始される前の状態（波長設定モード）である。
【００６９】
まず、第２光モジュール１４６Ａの送信波長設定部２１８は、第２光モジュール１４６Ａの波長可変光源２２２が出力する光の波長をλＡに設定する。そして、第２光モジュール１４６Ａの第２光送信器１４８Ａは、波長λＡの光信号を出力する（Ｓ５０２）ここで、第２光モジュール１４６Ａの波長可変光源２２２が出力する光の強度は一定である。
【００７０】
次に、第１光モジュール１２６Ａと第２光モジュール１４６Ａの間で通信が確立されていれば、第２光電変換器１５０Ａは、光信号を受信するが、初期状態では通信が確立されていない。そのため、第２光電変換器１５０Ａは、光信号を受信しない（Ｓ５０４）。
【００７１】
次に、第２光モジュール１４６Ａの第２信号処理部２０８は、送信される光信号が所望の波長情報を表すように、出力光強度設定部２２０を制御する（Ｓ５０６）。ここで、所望の波長は、第１光モジュール１２６Ａの第１光送信器１２８Ａが送信する波長であるλＡ’である。これにより、第２光モジュール１４６Ａの第２光送信器１４８Ａは、例えば図３（ａ）に示す光信号を送信する。送信された光信号は、光ファイバケーブルを介して、第２合波器１４２の入力端子Ａに入力される。入力された光信号は、第２合波器１４２で合波されて光多重信号となった後、第２合波器１４２の出力端子Ｄから出力される。
【００７２】
光多重信号は、光ファイバケーブルを経由して、第１分波器１２４の入力端子Ｄを介して、第１分波器１２４に入力される。光多重信号は、第１分波器１２４に分波され、波長λＡの光信号が分波される。そして、分波された波長λＡの光信号は、第１分波器１２４の出力端子Ａと光ファイバケーブルを介して第１光モジュール１２６Ａの第１光電変換器１３０Ａに入力される（Ｓ６０２）。
【００７３】
第１光モジュール１２６Ａの第１光電変換器１３０Ａが波長λＡの光信号を受信すると、第１光モジュール１２６Ａの第１信号処理部２０６は、当該光信号に含まれる波長情報に基づいて設定すべき波長を算出する（Ｓ６０４）。具体的には、Ｓ５０６の波長情報と、記憶部２１６が記憶するテーブルに基づいて、設定すべき波長として波長λＡ’を算出する。
【００７４】
次に、第１光モジュール１２６Ａは、第１光送信器１２８Ａが送信する光信号の波長を設定し、波長λＡ’の光信号を送信する（Ｓ６０６）。具体的には、第１光モジュール１２６Ａの第１信号処理部２０６Ａは、算出されたλＡ’という波長を出力するように波長可変光源２２２を制御する。そして、第１光モジュール１２６Ａの第１光送信器１２８Ａは、波長がλＡ’である光信号を送信する。なお、当該光信号には、波長情報は重畳されない。
【００７５】
送信された光信号は、光ファイバケーブルを介して、第１合波器１２２の入力端子Ａに入力される。入力された光信号は、第１合波器１２２で合波されて光多重信号となった後、第１合波器１２２の出力端子Ｄから出力される。光多重信号は、光ファイバケーブルを経由して、第２分波器１４４の入力端子Ｄを介して、第２分波器１４４に入力される。光多重信号は、第２分波器１４４に分波され、波長λＡ’の光信号が分波される。そして、分波された波長λＡ’の光信号は、第２分波器１４４の出力端子Ａと光ファイバケーブルを介して第２光モジュール１４６Ａの第２光電変換器１５０Ａに入力される（Ｓ５０８）。
【００７６】
第２光モジュール１４６Ａの第２光電変換器１５０Ａが光信号を受信すると、第２光モジュール１４６Ａの第２信号処理部２０８は、第２光送信器１４８Ａに対して波長情報を含む光信号の送信を停止させる（Ｓ５１０）。その後、第２光送信器１４８Ａは、波長λＡの任意の光信号を送信する。すなわち、光通信システムは通常動作モードに移行し、第１光モジュール１２６Ａと第２光モジュール１４６Ａとの間で通信を開始する（Ｓ５１２）。
【００７７】
以上のステップにより、第２信号処理部２０８は、第２光送信器１４８に対して、第２光電変換器１５０が光信号を受信する前の状態では、第１周波数で波長情報を含む光信号を該波長情報により示される波長で送信させる。さらに、第２信号処理部２０８は、波長情報に対応する波長の光信号のみを通過させる経路を経由して第２光電変換器１５０が光信号を受信した場合に、波長情報を含む光信号の送信を停止させ、波長情報により示される波長を有し、第２周波数で通信データを含む光信号を送信させる。
【００７８】
このように、第１光モジュール１２６Ａが送信する光信号の波長を予め決められた波長であるλＡ’に設定しないで、第１光モジュール１２６を設置することができる。従って、初期の波長設定にかかる時間の短縮と波長設定作業にかかる費用の削減ができる。
【００７９】
また、誤った波長が設定された第１光モジュール１２６を設置して通信不能となることを防止することができる。
【００８０】
また、同様の設定が第１光モジュール１２６Ｂ及び第１光モジュール１２６Ｃにも実施されることで、光通信システム１００に含まれる全ての第１光モジュール１２６について、自動的に送信する波長を設定することができる。すなわち、ユーザ側システム１２０を構成するすべての第１光モジュール１２６について、予め波長を設定しておく必要がなく、波長設定（光通信システム１００の構築）にかかる作業量が大幅に低減する。
【００８１】
さらに、本実施例では回路や装置の追加を必要としないことから、低コスト化を図ることができる。例えば、光信号の平均強度を監視するために受信光強度算出部２１２が設けられていれば、第１周波数で強度変化する光信号から波長情報を取得する為に必要な受信光強度算出部２１２を追加する必要がない。また、波長設定モードと通常動作モードは、単に、信号処理部２０６，２０８のファームウェア等で設定されることで実現されるため、新たなハードウェアを追加する必要がない。
【００８２】
また、波長設定モードにおける光強度の変化は、高周波のデータ通信をする場合とは異なり、厳密な同期を必要としない。そのため、第１周波数で強度変化する光信号は、低周波で動作する信号処理部２０６，２０８によって検出が可能である。
【００８３】
なお、本実施形態では第２光モジュール１４６の第２光送信器１４８は、必ずしも波長可変光源２２２を備えている必要はなく、波長λＡの出力が可能な固定波長光源を備えていても構わない。
【００８４】
また、センタ側システム１４０の第２光モジュール１４６が波長情報を重畳した光信号を送信し、ユーザ側システム１２０の第１光モジュール１２６が送信する光信号の波長を設定する手法を説明したが、逆であってもよい。すなわち、ユーザ側システム１２０の第１光モジュール１２６が波長情報を重畳した光信号を送信し、センタ側システム１４０の第２光モジュール１４６が送信する光信号の波長を設定してもよい。
【００８５】
また、図１では、センタ側システム１４０とユーザ側システム１２０との間には、送信用と受信用の光ファイバケーブルがそれぞれ１本ずつ記載されているが、送信用と受信用の光ファイバケーブルが一つの光ファイバケーブルであって、一心双方向伝送（BiDi：Bidirectional）通信を適用しても同様の効果が得られる。この場合、第１合波器１２２及び第１分波器１２４は、合波と分波を共に行う合分波器として、一体的に構成されてもよい。同様に、第２合波器１４２及び第２分波器１４４は、合波と分波を共に行う合分波器として、一体的に構成されてもよい。
【００８６】
また、合波器と分波器を一体的に構成しない場合には、波長λＡと波長λＡ’は、同じであってもよい。同様に、波長λＢと波長λＢ’は、同じであってもよい。波長λＣと波長λＣ’は、同じであってもよい。
【００８７】
続いて、第２実施形態について説明する。第２実施形態は、光電変換器１３０，１５０が光信号を受信しない場合に、信号処理部２０６，２０８は、光送信器１２８，１４８に対して、順次、第２周波数で他の波長の波長情報を含む光信号を当該他の波長で送信させる点が第１実施形態と異なる。すなわち、第２光モジュール１４６Ａが送信する光信号の波長が自動的にλＡに設定されるとともに、第１光モジュール１２６Ａが送信する光信号の波長も自動的にλＡ’に設定される。以下、第１実施形態と同様の動作、構成については説明を省略する。
【００８８】
図７は、第２実施形態に係る第２光モジュール１４６Ａの動作を説明するフローチャートである。図８は、第２実施形態に係る第１光モジュール１２６Ａの動作を説明するフローチャートである。図９は、センタ側システム１４０に含まれる第２光モジュール１４６Ａとユーザ側システム１２０に含まれる第１光モジュール１２６Ａと、が送信する光信号の波長の組み合わせの例である。図９に示すように、組み合わせられる第１光モジュール１２６Ａ及び第２光モジュール１４６Ａが送信する光信号の波長は、１対１対応の関係になっている。また、図９に示すテーブルは、予め記憶部２１６に記憶されている。
【００８９】
初期状態として、第２光モジュール１４６Ａの第２光電変換器１５０Ａと、第１光モジュール１２６Ａの第１光電変換器１３０Ａは、ともに光信号を受信していない状態である。また、第２光モジュール１４６Ａの第２光送信器１４８Ａが送信する光信号の波長はλＡに設定されておらず、第１光モジュール１２６Ａの第１光送信器１２８Ａが送信する光信号の波長もλＡ’に設定されていない状態である。
【００９０】
初期状態では通信が確立されていない波長設定モードである。そのため、第２光モジュール１４６Ａの第２光電変換器１５０Ａは、光信号を受信していない状態である（Ｓ７０２）。
【００９１】
次に、第２光モジュール１４６Ａは、第２光送信器１４８Ａの送信する光信号の波長をλ１に設定する（Ｓ７０４）。また、第２光モジュール１４６Ａの第２信号処理部２０８は、図９のテーブルを参照し、送信される光信号が所望の波長情報を表すように、出力光強度設定部２２０を制御する（Ｓ７０６）。ここで、所望の波長は、第２光送信器１４８Ａが送信する光信号の波長λ１と対応する波長λ１’である。
【００９２】
これにより、第２光モジュール１４６Ａの第２光送信器１４８Ａは、λ１’の波長情報を含む波長λ１の光信号を送信する（Ｓ７０８）。
【００９３】
ここで、第２合波器１４２の入力端子Ａは、波長λＡの光信号のみ通過させる。そのため、第２光モジュール１４６Ａの第２光送信器１４８Ａが送信したλ１の光信号は、入力端子Ａを通過しない。従って、第２光モジュール１４６Ａの第２光電変換器１５０Ａは光信号を受信しない。
【００９４】
また、上記のとおり、第１光モジュール１２６Ａの第１光送信器１２８Ａが送信する光信号の波長も初期状態ではλＡ’に設定されていない。そのため、第１光モジュール１２６Ａの第１光送信器１２８Ａが送信する光信号も第１合波器１２２の入力端子Ａを通過しない。従って、第１光モジュール１２６Ａの第２光電変換器１５０Ａも光信号を受信しない。
【００９５】
次に、λ１を表す波長情報を含む光信号が送信されてから所定の時間（例えば光モジュールの波長切り替えに要する時間であり、数秒である）が経過した後に、第２光モジュール１４６Ａの第２光電変換器１５０Ａが光信号を受信しない場合（Ｓ７１０のＮｏ）、第２光モジュール１４６は、第２光送信器１４８Ａが送信する光信号の波長をλ２に設定する（Ｓ７１２）。
【００９６】
また、第２光モジュール１４６Ａの第２信号処理部２０８は、図９のテーブルを参照し、第２光送信器１４８Ａが光信する光信号の波長λ２と対応する波長λ２’の波長情報を、第２光送信器１４８Ａが送信する光信号が含むように制御する（Ｓ７０６）。
【００９７】
これにより、第２光モジュール１４６Ａの第２光送信器１４８Ａは、λ２’の波長情報を含む波長λ２の光信号を送信する（Ｓ７０８）。
【００９８】
このように、第２光モジュール１４６Ａの第２光送信器１４８Ａは、第２光送信器１４８Ａが送信する光信号の波長と、含まれる波長情報と、を所定の時間ごとに切り替えながら送信する。すなわち、第２信号処理部２０８は、第２光送信器１４８Ａ対して、順次、第２周波数で他の波長の波長情報を含む光信号を当該他の波長で送信させる。第２光モジュール１４６Ａの第２光電変換器１５０Ａが光信号を受信するまで、Ｓ７０６からＳ７１２までのステップが繰り返し実行される。
【００９９】
所定の時間が経過した後、第２光モジュール１４６Ａの第２光送信器１４８Ａが送信する光信号の波長がλＡに設定される（Ｓ７１２）。
【０１００】
第２光モジュール１４６Ａの第２信号処理部２０８は、図９のテーブルを参照し、第２光送信器１４８Ａが送信する光信号の波長λＡと対応する波長λＡ’の波長情報が、第２光送信器１４８Ａが送信する光信号に含まれるように制御する（Ｓ７０６）。
【０１０１】
これにより、第２光モジュール１４６Ａの第２光送信器１４８Ａは、λＡ’の波長情報が含まれる波長λＡの光信号を送信する（Ｓ７０８）。
【０１０２】
ここで、第２合波器１４２の入力端子Ａは、波長λＡの光信号のみ通過させる。そのため、波長λＡの光信号は、第１実施形態と同様の経路を経て、第１光モジュール１２６Ａの第１光電変換器１３０Ａで受信される（Ｓ８０２）。
【０１０３】
第１光モジュール１２６Ａの第１光電変換器１３０Ａが波長λＡの光信号を受信すると、第１光モジュール１２６Ａの第１信号処理部２０６は、当該光信号に含まれる波長情報に基づいて設定すべき波長を算出する（Ｓ８０４）。具体的には、Ｓ７０６の波長情報と、記憶部２１６が記憶するテーブルに基づいて、第１信号処理部２０６は、設定すべき波長として波長λＡ’を算出する。
【０１０４】
次に、第１光モジュール１２６Ａの第１信号処理部２０６は、算出されたλＡ’という波長を出力するように波長可変光源２２２を制御する。これにより、第１光モジュール１２６Ａは、第１光送信器１２８Ａが送信する光信号の波長をλＡ’に設定する（Ｓ８０６）。そして、第１光モジュール１２６Ａの第１光送信器１２８Ａは、波長がλＡ’である光信号を送信する（Ｓ８０８）。なお、当該光信号には、波長情報は重畳されない。
【０１０５】
Ｓ８０８で送信された波長がλＡ’である光信号は、第１実施形態と同様の経路を経て、第２光モジュール１４６Ａの第２光電変換器１５０Ａに入力される（Ｓ７１０のＹｅｓ）。
【０１０６】
第２光モジュール１４６Ａの第２光送信器１４８Ａが波長λＡの光信号を送信してから所定の時間以内に、第２光電変換器１５０Ａが光信号を受信した場合、第２光モジュール１４６Ａの第２信号処理部２０８は、第２光送信器１４８Ａに対して波長情報を含む光信号の送信を停止させる（Ｓ７１４）。
【０１０７】
以上により、第２光モジュール１４６Ａの第２光送信器１４８Ａが送信する光信号の波長がλＡに設定され、第１光モジュール１２６Ａの第１光送信器１２８Ａが送信する光信号の波長がλＡ’に設定される。これにより通信が確立されて通常動作モードに移行する。そして、任意のデータ通信が可能な状態となる。
【０１０８】
第１実施形態では、第２光モジュール１４６Ａの第２光送信器１４８Ａが送信する光信号の波長が予めλＡに、または、第１光モジュール１２６Ａの第１光送信器１２８Ａが送信する光信号の波長が予めλＡ’に設定されていることを前提としている。しかし、第２実施形態によれば、第２光モジュール１４６Ａの第２光送信器１４８Ａ及び第１光モジュール１２６Ａの第１光送信器１２８Ａが送信する光信号の波長を共に設定する必要がない。従って、波長設定に要する費用を削減できる。
【０１０９】
また、第１実施形態と同様に誤った波長が設定された第１光モジュール１２６または第２光モジュール１４６を設置されて通信不能となることを防止することができる。
【０１１０】
同様の設定が第１光モジュール１２６Ｂ、第１光モジュール１２６Ｃ、第２光モジュール１４６Ｂ及び第２光モジュール１４６Ｃにも実施されることで、光通信システム１００に含まれる全ての第１光モジュール１２６及び第２光モジュール１４６について、自動的に送信する波長を設定することができる。すなわち、センタ側システム１４０及びユーザ側システム１２０に設定されるすべての第１光モジュール１２６及び第２光モジュール１４６について予め波長を設定する必要がなく、波長設定（光通信システム１００の構築）にかかる作業量が大幅に低減する。
【０１１１】
第２実施形態においても第１実施形態と同様に、ユーザ側システム１２０に含まれる第１光モジュール１２６が波長情報を重畳した光信号を送信し、センタ側システム１４０に含まれる第２光モジュール１４６が送信する光信号の波長を設定してもよい。
【０１１２】
なお、本発明は上述の実施形態に限定されるものではない。また、上記の具体的な文字列や数値及び図面中の具体的な文字列や数値は例示であり、これらの文字列や数値には限定されない。
【符号の説明】
【０１１３】
１００  光通信システム、１２０  ユーザ側システム、１２２  第１合波器、１２４  第１分波器、１２６  第１光モジュール、１２８  第１光送信器、１３０  第１光電変換器、１４０  センタ側システム、１４２  第２合波器、１４４  第２分波器、１４６  第２光モジュール、１４８  第２光送信器、１５０  第２光電変換器、２０２  電流電圧変換器、２０４  ＡＤ変換器、２０６  第１信号処理部、２０８  第２信号処理部、２１０  信号変換部、２１２  受信光強度算出部、２１４  受信光波長算出部、２１６  記憶部、２１８  送信波長設定部、２２０  出力光強度設定部、２２２  波長可変光源、２２４  増幅器、２２６  変調器。
【図１】
2020170990.tif 000003
【図２】
2020170990.tif 000004
【図３】
2020170990.tif 000005
【図４】
2020170990.tif 000006
【図５】
2020170990.tif 000007
【図６】
2020170990.tif 000008
【図７】
2020170990.tif 000009
【図８】
2020170990.tif 000010
【図９】
2020170990.tif 000011